【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
無線通信システムにおいて、受信装置が実行する方法であって、
第１サービスデータユニット（ＳＤＵ）要素と、前記第１ＳＤＵ要素に対する第１ヘッダと、第２ＳＤＵ要素と、前記第２ＳＤＵ要素に対する第２ヘッダとを含む第１プロトコールデータユニット（ＰＤＵ）を受信することであって、
前記第１ＳＤＵ要素は第１ＳＤＵであり、前記第２ＳＤＵ要素は第２ＳＤＵの第１セグメントであり、
第１エンティティから第２エンティティへ復号機能で前記第１ＳＤＵを配達することと、
前記第２エンティティで前記第１ＳＤＵを復号化することと、
第３ＳＤＵ要素と前記第３ＳＤＵ要素に対する第３ヘッダを含む第２ＰＤＵを受信することであって、
前記第３ＳＤＵ要素は前記第２ＳＤＵの第２セグメントであり、
前記第２ＳＤＵの全てのセグメントが前記第１エンティティで受信された後、前記第２ＳＤＵの第１セグメントと第２セグメントに基づいて前記第２ＳＤＵを前記第１エンティティで再組立てすることと、
前記第２ＳＤＵを再組立てした後に、前記第２ＳＤＵを、前記第１エンティティから前記第２エンティティへ配達することと、
前記第２ＳＤＵを、前記第２エンティティで復号化することを含み、
前記第１ヘッダは、前記第１ＳＤＵ要素に対する第１シーケンス番号（ＳＮ）フィールドを含み、前記第２ヘッダは、前記第２ＳＤＵ要素に対する第２ＳＮフィールドを含み、前記第３ヘッダは、前記第３ＳＤＵ要素に対する第３ＳＮフィールドを含み、
前記第１ＳＮフィールドの値は、前記第２ＳＮフィールドの値及び前記第３ＳＮフィールドの値と異なり、前記第２ＳＮフィールドの値は、前記第３ＳＮフィールドの値と同じであり、
前記第１ＳＤＵと前記第２ＳＤＵはそれぞれ利用可能となると直ぐに前記第１エンティティから前記第２エンティティへ配達される、方法。
【請求項２】
前記第１ＳＤＵ及び前記第２ＳＤＵは、前記第１ＳＮフィールドの値、前記第２ＳＮフィールドの値、及び前記第３ＳＮフィールドの値にかかわらず、前記第２エンティティへ配達される、請求項１に記載の方法。
【請求項３】
前記第１ＳＤＵ及び前記第２ＳＤＵは、前記第１ＳＮフィールドの値、前記第２ＳＮフィールドの値、及び前記第３ＳＮフィールドの値に基づいて再整列することなく、前記第１エンティティから前記第２エンティティへ配達される、請求項１に記載の方法。
【請求項４】
前記第１ＳＤＵ及び前記第２ＳＤＵは、前記第２エンティティで再整列され、前記第１ＳＤＵと前記第２ＳＤＵに関連したＳＮに従った昇順で、前記第２エンティティから第３エンティティへ配達される、請求項１に記載の方法。
【請求項５】
前記受信装置がユーザ機器（ＵＥ）であり、前記第１エンティティ及び前記第２エンティティは前記ユーザ機器に位置する、請求項１に記載の方法。
【請求項６】
前記受信装置がネットワークノードであり、前記第１エンティティは分散ユニット(ｄｉｓｔｒｉｂｕｔｅｄ  ｕｎｉｔ、ＤＵ)に位置し、前記第２エンティティは前記ＤＵに連結された中央ユニット(ｃｅｎｔｒａｌ  ｕｎｉｔ、ＣＵ)に位置する、請求項１に記載の方法。
【請求項７】
前記第１エンティティはＲＬＣレイヤに対応し、前記第２エンティティはＰＤＣＰレイヤに対応する、請求項１に記載の方法。
【請求項８】
前記第２エンティティは前記第１ＳＤＵ及び前記第２ＳＤＵを前記第１エンティティから受信した順に復号化する、請求項１に記載の方法。
【請求項９】
前記第２ＳＤＵを再組み立てすることは、前記第１セグメントと前記第２セグメントを再整列することを含む、請求項１に記載の方法。
【請求項１０】
前記第１ＳＤＵセグメント及び前記第２ＳＤＵセグメントは、送信デバイスから受信される、請求項１に記載の方法。
【請求項１１】
受信装置であって、
無線周波数(ｒａｄｉｏ  ｆｒｅｑｕｅｎｃｙ、ＲＦ)ユニットと、
前記ＲＦユニットを制御するように構成されたプロセッサを含み、
前記プロセッサは、
第１サービスデータユニット（ＳＤＵ）要素と、前記第１ＳＤＵ要素に対する第１ヘッダと、第２ＳＤＵ要素と、前記第２ＳＤＵ要素に対する第２ヘッダとを含む第１プロトコールデータユニット（ＰＤＵ）を受信し、前記第１ＳＤＵ要素は第１ＳＤＵであり、前記第２ＳＤＵ要素は第２ＳＤＵの第１セグメントであり、
第１エンティティから第２エンティティへ復号機能で前記第１ＳＤＵを配達し、
前記第２エンティティで前記第１ＳＤＵを復号化し、
第３ＳＤＵ要素と前記第３ＳＤＵ要素に対する第３ヘッダを含む第２ＰＤＵを受信し、前記第３ＳＤＵ要素は前記第２ＳＤＵの第２セグメントであり、
前記第２ＳＤＵの全てのセグメントが前記第１エンティティで受信された後、前記第２ＳＤＵの第１セグメントと第２セグメントに基づいて前記第２ＳＤＵを前記第１エンティティで再組立し、
前記第２ＳＤＵを再組立てした後に、前記第２ＳＤＵを、前記第１エンティティから前記第２エンティティへ配達し、
前記第２ＳＤＵを、前記第２エンティティで復号化するように構成され、
前記第１ヘッダは、前記第１ＳＤＵ要素に対する第１シーケンス番号（ＳＮ）フィールドを含み、前記第２ヘッダは、前記第２ＳＤＵ要素に対する第２ＳＮフィールドを含み、前記第３ヘッダは、前記第３ＳＤＵ要素に対する第３ＳＮフィールドを含み、
前記第１ＳＮフィールドの値は、前記第２ＳＮフィールドの値及び前記第３ＳＮフィールドの値と異なり、前記第２ＳＮフィールドの値は、前記第３ＳＮフィールドの値と同じであり、
前記第１ＳＤＵと前記第２ＳＤＵはそれぞれ利用可能となると直ぐに前記第１エンティティから前記第２エンティティへ配達される、受信装置。
【請求項１２】
前記第１ＳＤＵ及び前記第２ＳＤＵは、前記第１ＳＮフィールドの値、前記第２ＳＮフィールドの値、及び前記第３ＳＮフィールドの値にかかわらず、前記第２エンティティへ配達される、請求項１１に記載の受信装置。
【請求項１３】
前記第１ＳＤＵ及び前記第２ＳＤＵは、前記第１ＳＮフィールドの値、前記第２ＳＮフィールドの値、及び前記第３ＳＮフィールドの値に基づいて再整列することなく、前記第１エンティティから前記第２エンティティへ配達される、請求項１１に記載の受信装置。
【請求項１４】
前記第１ＳＤＵ及び前記第２ＳＤＵは、前記第２エンティティで再整列され、前記第１ＳＤＵと前記第２ＳＤＵに関連したＳＮに従った昇順で、前記第２エンティティから第３エンティティへ配達される、請求項１１に記載の受信装置。
【請求項１５】
前記受信装置は、ユーザ機器（ＵＥ）である、請求項１１に記載の受信装置。
【請求項１６】
前記受信装置は、ネットワークノードである、請求項１１に記載の受信装置。
【請求項１７】
前記第１エンティティはＲＬＣレイヤに対応し、前記第２エンティティはＰＤＣＰレイヤに対応する、請求項１１に記載の受信装置。
【請求項１８】
前記第２エンティティは前記第１ＳＤＵ及び前記第２ＳＤＵを前記第１エンティティから受信した順に復号化する、請求項１１に記載の受信装置。
【請求項１９】
前記第２ＳＤＵを再組み立てすることは、前記第１セグメントと前記第２セグメントを再整列することを含む、請求項１１に記載の受信装置。
【請求項２０】
前記第１ＳＤＵセグメント及び前記第２ＳＤＵセグメントは、送信デバイスから受信される、請求項１１に記載の受信装置。